(57)【要約】      （修正有）【課題】簡易に着氷の防止が可能な浮体式起伏ゲートを提供する。【解決手段】浮体式起伏ゲート１は、回動軸１１を基端側に有して浸入水の浮力によって倒伏状態から起立する扉体１０と、扉体の倒伏時に扉体が接地または近接する接地部（格納部２５の底部２６、側部２７）とを備える。扉体における接地部に接地または近接する表面および接地部における扉体が接地または近接する表面の少なくとも一方には、撥水性塗料の塗膜が形成されている。【選択図】図１
0003211416.tif 000002
【実用新案登録請求の範囲】
【請求項１】
浸入水の浮力によって倒伏状態から起立する扉体と、
前記扉体の倒伏時に前記扉体が接地または近接する接地部とを備え、
前記扉体における前記接地部に接地または近接する表面および前記接地部における前記扉体が接地または近接する表面の少なくとも一方には、撥水性塗料の塗膜が形成されている
ことを特徴とする浮体式起伏ゲート。
【請求項２】
請求項１に記載の浮体式フラップゲートにおいて、
前記塗膜は、該塗膜の表面と該表面に付着した液滴との接触角が８５度以上となる表面張力を有している
ことを特徴とする浮体式起伏ゲート。
【考案の詳細な説明】
【技術分野】
【０００１】
本願は、浮体式起伏ゲートに関する。
【背景技術】
【０００２】
従来より、洪水や津波による浸水を防止するための浮体式起伏ゲートが知られており、例えば特許文献１に開示されている。特許文献１に開示の浮体式起伏ゲートは、浸水時に水の浮力によって起立する扉体を備えている。扉体は、非浸水時には倒伏して路面に接地した状態となり、浸水時には起立して浸水を防止する。
【先行技術文献】
【特許文献】
【０００３】
【特許文献１】特開２０１５−１８０８０６号公報
【考案の概要】
【考案が解決しようとする課題】
【０００４】
ところで、上述したような浮体式起伏ゲートでは、倒伏状態の扉体と路面との隙間に雨水等が侵入して滞留することがある。通常、この滞留した水が扉体の動作に影響を及ぼすことはないが、日中も氷点下となるような冬場の寒冷地において、この滞留した水により扉体や路面に着氷が生じる可能性がある。このような着氷が生じると、扉体と路面とが氷によって固着した状態となり、浸水により氷が溶けるまで、浸水時の扉体の起立開始が遅れる虞がある。
【０００５】
このような状況が生じないように、寒冷地では倒伏状態の扉体と路面との隙間に着氷があっても影響のない程度に施工することが望ましいが、このような施工は工数がかかるため、より簡易な対策が求められる。
【０００６】
本願に開示の技術は、かかる事情に鑑みてなされたものであり、その目的は、浮体式起伏ゲートにおいて、簡易な着氷の対策を提供することにある。
【課題を解決するための手段】
【０００７】
本願の浮体式起伏ゲートは、扉体と、接地部とを備えている。前記扉体は、浸入水の浮力によって倒伏状態から起立するものである。前記接地部は、前記扉体の倒伏時に前記扉体が接地するものである。そして、前記扉体における前記接地部に接地する表面および前記接地部における前記扉体が接地する表面の少なくとも一方には、撥水性塗料の塗膜が形成されている。
【考案の効果】
【０００８】
本願の浮体式起伏ゲートによれば、簡易な着氷の対策を提供することができる。
【図面の簡単な説明】
【０００９】
【図１】図１は、実施形態に係る浮体式起伏ゲートの倒伏時の概略構成を側面側から視て示す図である。
【図２】図２は、実施形態に係る浮体式起伏ゲートの倒伏時の概略構成を上流側から視て示す図である。
【図３】図３は、浮体式起伏ゲートの起立途中時を示す図１相当図である。
【図４】図４は、浮体式起伏ゲートの起立時を示す図１相当図である。
【図５】図５は、塗膜に対する液滴の接触角を説明するための図である。
【考案を実施するための形態】
【００１０】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１１】
本実施形態の浮体式起伏ゲート１（以下、単に起伏ゲート１ともいう。）は、路面Ｒ（陸上）に設置され、洪水や津波、大雨によって水が生活空間や地下空間に浸入するのを防止するものであり、浮体式のフラップゲートと呼ばれることもある。起伏ゲート１は、浸入しようとする水を利用して自動的に起立動作および倒伏動作を行う。図１および図２に示すように、起伏ゲート１は、扉体１０と、戸当り１８と、補助駆動部２０と、格納部２５とを備えている。
【００１２】
扉体１０は、やや扁平な略矩形体に形成されている。扉体１０は、基端側に回動軸１１を有しており、回動軸１１を中心として回動自在に設けられている。扉体１０は、図１において右回りに回動することで起立動作を行い、図１において左回りに回動することで倒伏動作を行う。扉体１０は、通常時は倒伏した状態（図１に示す状態）になっており、非常時（即ち、水が浸入してきたとき）には浸入水の浮力によって倒伏状態から起立するように構成されている。つまり、扉体１０は浸入水を利用して起立動作を開始する。
【００１３】
なお、図１において水は左側から浸入するものとする。また、以降で記載する「上流側」および「下流側」とは、水の浸入方向における上流側（図１において左側）および下流側（図１において右側）を意図する。
【００１４】
扉体１０は、倒伏状態において、下側が正面部１３、上側が背面部１４、上流側の端部が先端部１２、上流側から視て左側および右側が側面部１５となっている。戸当り１８は、上流側から視て、扉体１０の左側方と右側方に設けられている。扉体１０は、戸当り１８と対向する部分である側面部１５に、水密ゴム（図示省略）が取り付けられており、水密ゴムが戸当り１８と接することにより水密される。
【００１５】
補助駆動部２０は、扉体１０の起立動作を補助する機能と、扉体１０の起立速度および倒伏速度を調整する機能を有している。補助駆動部２０は、カウンタウエイト２１と、ワイヤロープ２２と、上流側の定滑車２３と、下流側の定滑車２４とを有している。
【００１６】
上流側の定滑車２３および下流側の定滑車２４は、それぞれの戸当り１８に１つずつ設けられている。上流側の定滑車２３は戸当り１８の上流側における上部に設けられ、下流側の定滑車２４は戸当り１８の下流側における上部に設けられている。ワイヤロープ２２は、扉体１０に２本取り付けられている。２本のワイヤロープ２２の一端は、扉体１０の先端部１２に取り付けられている。２本のワイヤロープ２２の一端は、扉体１０の幅方向（図２における左右方向）における左側端部および右側端部に取り付けられている。ワイヤロープ２２の他端は、上流側の定滑車２３および下流側の定滑車２４を順に介して、カウンタウエイト２１に取り付けられている。こうして、扉体１０とカウンタウエイト２１とはワイヤロープ２２を介して接続されているため、カウンタウエイト２１の重量は扉体１０の先端部１２に作用する。
【００１７】
格納部２５は、倒伏時に扉体１０が格納される。格納部２５は、路面Ｒに形成された凹部であり、平面視で扉体１０よりも大きい矩形に形成されている。扉体１０が格納部２５に格納された状態、即ち扉体１０が倒伏した状態では、扉体１０の背面部１４と路面Ｒとが略面一となる。通常時は、路面Ｒを通行する車両は扉体１０の背面部１４を通行することになる。
【００１８】
扉体１０の起立動作および倒伏動作について図３および図４も参照しながら説明する。倒伏状態の扉体１０は、水が浸入してくると、その浸入水の浮力によって起立動作を開始する。その際、扉体１０はカウンタウエイト２１によって起立方向に引っ張られ、起立動作が補助される。カウンタウエイト２１は、扉体１０が起立していくに伴って下降する。扉体１０が起立していくと、扉体１０の上流側には水が溜まっていき水位が上昇する。そのため、扉体１０は水圧によって起立方向に押され、起立動作が補助される。
【００１９】
そして、図３に示すように、扉体１０の傾斜角θｉが所定角度（例えば、４５度）になると、定滑車２３から扉体１０へ延びるワイヤロープ２２と扉体１０とが一直線になり、カウンタウエイト２１は最下点に達する。扉体１０の傾斜角θｉが所定角度を超えると、カウンタウエイト２１は扉体１０が起立していくに伴って上昇する。そして、図４に示すように、扉体１０の傾斜角θｉが例えば９０度に達すると、扉体１０は完全に起立した状態となり起立動作が完了する。このとき、カウンタウエイト２１は最上点に達する。こうして、カウンタウエイト２１が上昇している際には、カウンタウエイト２１が抵抗となり、扉体１０の起立速度が減速される。そのため、扉体１０の起立動作完了時に生じる衝撃が緩和される。
【００２０】
図４に示す起立状態の扉体１０は、水位が低下していくと、倒伏動作を開始する。その際、扉体１０はカウンタウエイト２１によって倒伏方向に引っ張られ、倒伏動作が補助される。こうして、扉体１０は水位の低下に追従して倒伏する。カウンタウエイト２１は、扉体１０が倒伏していくに伴って下降する。そして、扉体１０の傾斜角θｉが所定角度（４５度）よりも小さくなると、カウンタウエイト２１は扉体１０が倒伏していくに伴って上昇する。そして、図１に示すように、扉体１０の傾斜角θｉが０度に達すると、扉体１０は完全に倒伏した状態となり倒伏動作が完了する。つまり、扉体１０は格納部２５に格納された状態となる。このとき、カウンタウエイト２１は最上点に達する。こうして、カウンタウエイト２１が上昇している際には、カウンタウエイト２１が抵抗となり、扉体１０の倒伏速度が減速される。そのため、扉体１０の倒伏動作完了時に生じる衝撃が緩和される。なお、傾斜角θｉは水平面に対する扉体１０の傾斜角である。
【００２１】
格納部２５において、底部２６および側部２７，２８は、扉体１０の倒伏時に扉体１０が接地または近接する接地部となっている。なお、ここでいう倒伏時とは、扉体１０が完全に倒伏した状態という意味である。具体的に、倒伏時において扉体１０の正面部１３は格納部２５の底部２６と接地または近接している（図１，図２参照）。また、倒伏時において扉体１０の先端部１２は格納部２５の側部２７と接地または近接している（図１参照）。また、倒伏時において扉体１０の側面部１５は格納部２５の側部２８と接地または近接している（図２参照）。側部２７は格納部２５において上流側に位置し、側部２８は格納部２５において左右（図２において左右）に位置する。
【００２２】
扉体１０における接地部に接地または近接する表面および接地部における扉体１０が接地または近接する表面の少なくとも一方には、撥水性塗料の塗膜が形成されている。具体的に、本実施形態の扉体１０では、正面部１３、先端部１２および側面部１５の表面に撥水性塗料の塗膜が形成されている。本実施形態の格納部２５では、底部２６および側部２７，２８の表面に撥水性塗料の塗膜が形成されている。
【００２３】
扉体１０の正面部１３や先端部１２等に形成された塗膜は何れも同様の構成であり、格納部２５の底部２６や側部２７等に形成された塗膜は何れも同様の構成である。ここでは、代表として、扉体１０の正面部１３および格納部２５の底部２６の塗膜１７，３１について図５を参照しながら詳しく説明する。正面部１３の塗膜１７は、主材１６の表面に撥水性塗料が塗布されて成る。主材１６は、正面部１３を構成する鋼製部材である。底部２６の塗膜３１は、主材２９の表面に撥水性塗料が塗布されて成る。主材２９は、コンクリートである。こうして、撥水性塗料の塗膜１７，３１が形成されることにより、扉体１０の正面部１３および格納部２５の底部２６は濡れにくくなる。つまり、正面部１３や底部２６の表面と液滴との接触面積が小さくなる。これにより、正面部１３や底部２６の表面において着氷が生じても、その着氷力が低減される。着氷力は、正面部１３等の表面に対する氷の付着力である。
【００２４】
さらに、塗膜１７，３１は、塗膜１７，３１の表面と該表面に付着した液滴（水滴）との接触角θｃが８５度以上となる表面張力を有しているものである。接触角θｃは、固体（塗膜１７，３１）と液体（液滴）との接点における液体表面の接線と固体表面とが成す角度であり、濡れ性とも言われる。接触角θｃが大きいほど、固体は濡れにくい。接触角θｃは、固体（塗膜１７，３１）が有する表面張力に左右される。接触角θｃは、固体の表面張力が小さいほど、大きくなる。こうして、塗膜１７，３１は接触角θｃが８５度以上となる小さい表面張力を有しているため、正面部１３および底部２６はより濡れにくくなる。
【００２５】
以上のように、上記実施形態の浮体式起伏ゲート１は、浸入水の浮力によって倒伏状態から起立する扉体１０と、扉体１０の倒伏時に扉体１０が接地または近接する接地部（格納部２５の底部２６、側部２７，２８）とを備えている。そして、扉体１０における接地部に接地または近接する表面および接地部における扉体１０が接地または近接する表面の少なくとも一方には、撥水性塗料の塗膜１７，３１が形成されている。
【００２６】
上記の構成によれば、互いに接地または近接する扉体１０と接地部との隙間に水が浸入し滞留しても、扉体１０および接地部の少なくとも一方は濡れにくくなる。そのため、互いに接地または近接する扉体１０と接地部の表面に着氷が生じても、その着氷力を低減することができる。これにより、扉体１０と接地部とが氷によって固着する力が低減されるので、水が浸入してきたときには氷が溶けるまでの時間を待つことなく、浸入水の浮力によって扉体１０を起立開始させることができる。
【００２７】
また、塗膜１７，３１は、塗膜１７，３１の表面と該表面に付着した液滴との接触角が８５度以上となる表面張力を有している。この構成によれば、互いに接地または近接する扉体１０と接地部の表面を確実に濡れにくくすることができる。そのため、互いに接地または近接する扉体１０や接地部の表面に着氷が生じても、水が浸入してきたときには氷が溶けるまでの時間を待つことなく、浸入水の浮力によって扉体１０を容易に起立開始させることができる。
【００２８】
なお、上記実施形態では、扉体１０において正面部１３、先端部１２および側面部１５のうち何れか１箇所または２箇所に撥水性塗料の塗膜１７を形成するようにしてもよい。また同様に、格納部２５において底部２６および側部２７，２８のうち何れか１箇所または２箇所に撥水性塗料の塗膜３１を形成するようにしてもよい。
【００２９】
また、上記実施形態では、扉体１０および接地部のうち何れか一方に撥水性塗料の塗膜１７，３１を形成するようにしてもよい。
【００３０】
また、上記実施形態では、補助駆動部２０を省略するようにしてもよい。その場合、扉体１０は浸入水の浮力や水圧のみによって起立動作および倒伏動作を行う。
【産業上の利用可能性】
【００３１】
以上のように、本願に開示の技術は、浮体式起伏ゲートについて有用である。
【符号の説明】
【００３２】
１        浮体式起伏ゲート
１０      扉体
１７      塗膜
２６      底部（接地部）
２７      側部（接地部）
２８      側部（接地部）
３１      塗膜
θｃ      接触角
【図１】
0003211416.tif 000003
【図２】
0003211416.tif 000004
【図３】
0003211416.tif 000005
【図４】
0003211416.tif 000006
【図５】
0003211416.tif 000007
【手続補正書】
【提出日】平成29年5月11日(2017.5.11)
【手続補正１】
【補正対象書類名】実用新案登録請求の範囲
【補正対象項目名】全文
【補正方法】変更
【補正の内容】
【実用新案登録請求の範囲】
【請求項１】
浸入水の浮力によって倒伏状態から起立する扉体と、
前記扉体の倒伏時に前記扉体が接地または近接する接地部とを備え、
前記扉体における前記接地部に接地または近接する表面および前記接地部における前記扉体が接地または近接する表面の少なくとも一方には、撥水性塗料の塗膜が形成されている
ことを特徴とする浮体式起伏ゲート。
【請求項２】
請求項１に記載の浮体式起伏ゲートにおいて、
前記塗膜は、該塗膜の表面と該表面に付着した液滴との接触角が８５度以上となる表面張力を有している
ことを特徴とする浮体式起伏ゲート。